(57)【要約】【課題】  動作電圧の異なる複数のカメラに最適な出力電圧を安定に供給するシステムを提供することである。【解決手段】  上記課題を解決するために、例えば、ネットワークを介して撮像装置と接続された情報処理装置において、前記ネットワークを介して前記撮像装置と通信する通信手段と、電源を供給する電源供給手段と、前記撮像装置に関する情報を受信する受信手段と、前記受信手段により受信された前記撮像装置に関する情報に基づいて前記電源供給手段により供給される電源の電圧を制御する制御手段とを備えればよい。【選択図】  図１
2005072991.tif 000002
【特許請求の範囲】
【請求項１】
ネットワークを介して撮像装置と接続された情報処理装置において、
前記ネットワークを介して前記撮像装置と通信する通信手段と、
電源を供給する電源供給手段と、
前記撮像装置に関する情報を受信する受信手段と、
前記受信手段により受信された前記撮像装置に関する情報に基づいて前記電源供給手段により供給される電源の電圧を制御する制御手段とを備えたことを特徴とする情報処理装置。
【請求項２】
請求項１記載の情報処理装置において、
前記撮像装置に関する情報は、前記カメラで検出された電源電圧と前記カメラの電源電圧仕様についての情報を含むことを特徴とする情報処理装置。
【請求項３】
請求項２記載の情報処理装置において、
前記電源供給手段の出力電圧は、前記カメラ情報に含まれる前記カメラで検出された電源電圧値から前記カメラの電源電圧仕様値を差し引いた差分値に基いて前記制御手段により制御されることを特徴とする情報処理装置。
【請求項４】
ネットワークによりカメラと接続された情報処理装置において、
電源を供給する電源供給手段と、
前記ネットワークを介して前記カメラと通信する通信手段と、
前記通信手段により通信される情報から前記カメラに関する情報を取得する情報取得手段と、
前記情報取得手段により取得された前記カメラに関する情報に基いて前記カメラに供給する電源電圧を制御する制御手段とを備えたことを特徴とする情報処理装置。
【請求項５】
ネットワークを介して情報処理装置と接続可能な撮像装置であって、
電源の電圧の情報を検出する電圧検出手段と、
前記撮像装置に関する情報を記憶する記憶手段と、
前記電圧検出手段により検出された前記電源電圧情報と前記記憶手段により記憶された前記撮像装置に関する情報とから前記撮像装置の電圧を制御するためのカメラ情報を生成するカメラ情報生成手段と、
前記カメラ情報の送信指示を受けた場合に前記カメラ情報生成手段により生成された前記カメラ情報を前記ネットワークを介して前記情報処理装置に送信する送信手段とを備えることを特徴とする撮像装置。
【請求項６】
請求項５記載の撮像装置において、
前記記憶手段により記憶された前記撮像装置に関する情報が前記カメラのＩＤもしくは名称に関するものであることを特徴とする撮像装置。
【請求項７】
他の装置と通信する通信手段と、
電源電圧を検出する電圧検出手段と、
前記電圧検出手段により検出された電源電圧情報より電圧制御に関するカメラ情報データを生成するカメラ情報生成手段と、
前記カメラ情報データの送信指示を示す送信指示信号を受信する受信手段と、
前記受信手段により前記送信指示信号を受信すると前記カメラ情報生成手段により生成された前記カメラ情報を前記通信手段により送信するように制御する制御手段とを備えることを特徴とする撮像装置。
【請求項８】
撮像装置と前記撮像装置とネットワークを介して接続される情報処理装置とから構成される情報処理システムであって、
前記撮像装置は、前記情報処理装置から供給された電源の電圧の情報を検出する電圧検出手段と、前記撮像装置に関する情報を記憶する記憶手段と、
前記電圧検出手段により検出された前記電源電圧情報と前記記憶手段により記憶された前記撮像装置に関する情報とから前記撮像装置の電圧を制御するためのカメラ情報を生成するカメラ情報生成手段と、前記カメラ情報の送信指示を受けた場合に前記カメラ情報生成手段により生成された前記カメラ情報を前記ネットワークを介して前記情報処理装置に送信する送信手段とを備え、
前記情報処理装置は、前記撮像装置に電源を供給する電源供給手段と、前記カメラの前記送信手段により送信された前記カメラ情報を受信するカメラ情報受信手段と、前記カメラ情報受信手段により受信された前記カメラ情報に基いて前記電源供給手段により供給される電源の電圧を制御する制御手段とを備えたことを特徴とする情報処理システム。
【発明の詳細な説明】
【技術分野】
【０００１】
本発明は、撮像装置、情報処理装置及び情報処理システムに係わり、特にネットワークを介して接続された撮像装置に供給する電源電圧を自動調整する機能を備えた情報処理システムに関する。
【背景技術】
【０００２】
近年、監視カメラ装置が色々な分野で広く利用されるようになった。銀行等の金融機関や駅の構内およびコンビニエンスストア等で盛んに監視カメラ装置が使用されている。
【０００３】
そして、監視カメラ等の装置に電力を供給する従来の電力供給システムにおいては、電源装置に接続された各々の負荷の電源電圧を検出し、該当検出値をもとに電源装置内にて設定した基準電圧を可変することにより出力電圧を自動調整している（例えば、特許文献１等参照）。
【０００４】
【特許文献１】特開２０００−３３９０４０号公報（第３−４頁、第１および第３図）
【発明の開示】
【発明が解決しようとする課題】
【０００５】
しかしながら、上記特許文献１では、複数の負荷から検出される電圧レベルに基いて電源装置の出力電圧を調整するものであり、複数の負荷の動作電圧仕様が異なる場合についての配慮がなされていない。
【０００６】
例えば、２つの負荷１と負荷２が有り、負荷１の動作電圧の仕様値が１２ボルト、負荷２の動作電圧の仕様値が１０ボルトとする。負荷１と負荷２はそれぞれ内部に電源安定機能を備えており動作電圧仕様値より高い電圧か供給されても動作可能である、また負荷１と負荷２は電源装置と共用の電源バスにより負荷１負荷２の順に接続されており、電源装置と負荷１の間には１．５ボルトの電圧降下があり、負荷１と負荷２間には１ボルトの電圧降下があるものとする。このとき電源装置の出力電圧が１３ボルトとすると負荷１の検出電圧は１１．５ボルトであり負荷２の検出電圧は１０．５ボルトとなる。負荷１の検出電圧の方が負荷２の検出電圧より高いにも関わらず負荷１では動作電圧仕様を満たせないのに負荷２では動作電圧仕様を満足している。負荷１と負荷２の検出電圧レベルを見ただけでは電源装置の出力電圧が適正値かどうか判断ができない。
【０００７】
そこで、本発明の目的は、適切な電圧電源を監視カメラに供給できる監視システム装置を提供することにある。
【課題を解決するための手段】
【０００８】
上記課題を解決するために、例えば、請求項１記載の如く、ネットワークを介して撮像装置と接続された情報処理装置において、前記ネットワークを介して前記撮像装置と通信する通信手段と、電源を供給する電源供給手段と、前記撮像装置に関する情報を受信する受信手段と、前記受信手段により受信された前記撮像装置に関する情報に基づいて前記電源供給手段により供給される電源の電圧を制御する制御手段とを備えればよい。
【発明の効果】
【０００９】
本発明によれば、適切な電圧電源を監視カメラに供給できる監視システム装置を提供することができる。
【発明を実施するための最良の形態】
【００１０】
以下、図面を用いて本発明の実施例を詳細に説明する。なお、以下の図面において、同一の構成部については同じ番号を用い、異なる構成部について異なる番号を用いる。
【００１１】
図１は、第１の実施例である監視用ビデオカメラとそのシステム制御装置の構成を示すブロック図である。本実施例においては、１０−１から１０−Ｎで示すＮ台のビデオカメラと、これらＮ台のビデオカメラに電源を供給する機能を備え、該ビデオカメラから転送された転送データにより電源電圧を制御するシステム制御装置２０、ビデオカメラから送られてくる画像やその他の情報を表示するためのモニタ３０、Ｎ台のビデオカメラとシステム制御装置２０を接続する電源バス４１及びデータ転送用のデータバス４２から構成されている。なお、ビデオカメラ１０−１から１０−Ｎについては特にそれぞれのビデオカメラを識別する必要がない場合は枝番を省略してビデオカメラ１０のように以下記載する。
【００１２】
次に、ビデオカメラの内部構成について説明する。Ｎ台のビデオカメラ１０−１から１０−Ｎの内部構成は同じものとし、電圧制御部１１は、システム制御装置２０から供給される電源電圧を適切な値に安定化する。電圧検出部１２は、電源電圧を検出し、カメラ情報生成部１３は、電圧検出部１２により検出された電圧値やビデオカメラ１０の動作電圧仕様値等の情報から成るカメラ情報を生成する。撮像部１４は、被写体を画像信号に変換する。マイク１５は、音声を集音し音声信号に変換する。画像・音声信号処理部１６は、撮像部１４から得られる画像信号とマイク１５から得られる音声信号をデジタル処理する。転送データ生成部１７はデジタル処理された画像・音声信号とカメラ情報をネットワークにより転送する転送データを生成する。ネットワーク転送制御部１８は、該転送データをパケット化しシステム制御装置２０と通信する。また、ネットワーク転送制御部１８は、システム制御装置２０から送られてくる転送データを受信する機能も備えている、カメラシステム制御部１９は、システム制御装置２０からネットワーク転送制御部１８を経由して送られてくる制御情報等に基きビデオカメラ１０の各部の動作を制御する。
【００１３】
次に、システム制御装置２０の内部構成について説明する。ネットワーク転送制御部２１は、イーサネット（登録商標）を経由してＮ台のビデオカメラ１０から送られてくる画像・音声信号とカメラ情報の通信を制御する。転送データ処理部２２は、ネットワーク転送制御部２１から送られてくる転送データを処理し画像・音声信号とカメラ情報を復元して分離する。カメラ情報処理部２３は、転送データ処理部２２から送られてくるカメラ情報を処理しビデオカメラ２０に供給される電源電圧が適正どうかを判断する。システム制御部２４は、システム制御装置２０の各部を制御するであり、電源電圧が適正でないことを示す情報をカメラ情報処理部２３から受けるとシステム制御部２４は、内部に備えたタイマにより計時し所定の時間が経過後、出力電圧調整を指示する。出力電圧制御信号生成部２５は、システム制御部２４から出力電圧の調整開始のタイミング情報を出力し、カメラ情報処理部２３から出力電圧の調整量の情報を受けてパルス幅変調等の出力電圧制御信号を出力する、出力電圧制御部２６は、出力電圧制御信号生成部２５から出力される出力電圧制御信号に基き出力電圧を決める制御電圧を出力する。電源電圧出力部２７は、出力電圧制御部２６から出力される制御電圧により指示された電圧値の直流電源をビデオカメラ１０に供給する。
【００１４】
画像・音声信号処理部２８は、転送データ処理部２２にてカメラ情報と分離された画像・音声信号に対して伸張処理を行なう。画像表示制御部２９は、画像・音声信号処理部２８から送られてくる画像信号・音声信号をデジタル信号からアナログ信号に変換する。モニタ５０は、画像表示制御部２９を経由して送られてくる画像等の情報を表示する。
【００１５】
なお、本実施例ではネットワークとしてイーサネットを使用しており、４１は電源バスを示す。また、その矢印は電源バスを流れる電源の流れを示し、電源電圧出力部２７とＮ台ビデオカメラ１０を接続する。また、４２はイーサネット回線の中のデータバスを示し、その矢印はイーサネットの転送データの流れを示す。
【００１６】
次に、イーサネットによりビデオカメラ１０からシステム制御装置２０に送られるビデオカメラの画像・音声信号およびカメラ情報のデータストリームの生成過程と構成について説明する。
【００１７】
撮像部１４から出力される画像信号とマイク１５から出力される音声信号は、画像・音声信号処理部１６によりアナログ信号からデジタル信号に変換され、更にＭＰＥＧ（Motion Picture Experts Group）２等により符号化圧縮処理され画像・音声データストリームとなる。一方、電圧検出部１２により検出された電源電圧情報は、カメラ情報生成部１３において、カメラ情報生成部１３内に備えられたメモリに予め記憶されたビデオカメラ１０の動作電圧の仕様値情報、ビデオカメラ１０のＩＤ番号および名称等の情報とが付加されてカメラ情報データとなる。上記符号化圧縮処理されたデジタル画像・音声信号情報を含むデータストリームとカメラ情報データを基に転送データ生成部１７は、イーサネットで転送可能な転送データを生成する。
【００１８】
次に、転送データの構成について説明する。図２は、画像・音声信号処理部１６から出力される画像・音声データとカメラ情報生成部１３から出力されるカメラ情報データをイーサネットで転送可能な転送データにする過程を示す。図２において、１０８＿１はビデオカメラ１０−１で生成される信号を示し、１０８＿２はビデオカメラ１０−２で生成される信号を示し、以下同様に１０８＿Ｎはビデオカメラ１０−Ｎで生成される信号を示す。１０８＿１において、１０１は画像・音声信号処理部１６から出力される画像・音声データストリーム、１０２はＡＶパケット、１０３はＡＶフレーム、１０４は画像・音声データのイーサフレーム、１０５はカメラ情報データ、１０６はカメラ情報データのイーサフレームを示す。
【００１９】
画像・音声信号処理部１６から出力される画像・音声データ信号１０１は、転送データ生成部１７にて１フレームごとにＡＶヘッダ（ＡＶＨＤ）が付加されＡＶパケット１０２となり、更にＡＶパケット１０２にフレームヘッダ（ＦＨＤ）が付加されＡＶフレーム１０３と成る。ＡＶフレーム１０３は、転送データ生成部１７にてイーサネットネットで転送可能なデータ容量（最大１５０４バイト）のパケットになるように分割され、分割された各々のパケットにＭＨＤ（Media access control Header）とＦＣＳ(Frame Check Sequence)が付加される。
【００２０】
イーサネットを経由してシステム制御装置２０からカメラ情報出力の指示をカメラシステム制御部１９が受けると電圧検出部１２は供給された電源電圧を検出し、カメラ情報データは、カメラ情報生成部１３から出力される。カメラ情報生成部１３から出力されたカメラ情報は転送データ生成部１７にて同様にＭＨＤとＦＣＳが付加される。カメラ情報データは、画像・音声データほどデータ量が多くないので１フレームにつき１個のイーサフレームパケット１０６を割当てている。転送データ生成部１７により生成された画像・音声情報のイーサフレームとカメラ情報データのイーサフレームはネットワーク転送処理部１８に送られ転送される。Ｎ台のビデオカメラ１０から転送される転送データの例を１１１に示す。転送データ１１１はイーサネットのデータバス４２を経由してシステム制御装置２０に転送される。
【００２１】
図３は、上記で説明したカメラ情報を生成する動作シーケンス図である。図３を用いてカメラ情報を生成する動作手順を説明する。使用者によりシステム制御装置２０の電源が投入され、システム制御装置２０が動作を開始し、システム制御装置２０から各ビデオカメラ１０に電源が供給されるとビデオカメラ１０は動作を開始する（ステップＳ２０１）。システム制御装置２０からカメラ情報データ転送の指示が各ビデオカメラ１０に送信される（ステップＳ２０２）。
【００２２】
ビデオカメラ１０は、カメラ情報データ転送指示を受け、電圧検出部１２により電源電圧レベルを検出し、カメラ情報生成部１３に送る（ステップＳ２０３）。カメラ情報生成部１３では、電圧検出部１２より転送された電圧情報と予めカメラ情報生成部１３に記憶されたビデオカメラＩＤ、ビデオカメラ名称及び動作電圧の仕様値等の情報を付加し、カメラ情報データ１０５を生成して転送データ生成部１７に転送する（ステップＳ２０４）。
【００２３】
次に、カメラ情報データ１０５にＭＨＤとＦＣＳを付加し、イーサフレームパケット１０６を生成しネットワーク転送制御部１８に転送する（ステップＳ２０５）。転送されたイーサフレームパケット１０６は、画像・音声情報のイーサフレームパケット１０４とともにネットワーク転送制御部１８からイーサネットに転送される（ステップＳ２０６）。システム制御装置２０からのカメラ情報データ転送の指示を待ち、カメラ情報データ転送の指示を受ける毎にステップＳ２０３からＳ２０６を繰り返す。
【００２４】
次に、ビデオカメラ１０からイーサネットを経由して転送されたイーサフレームパケットをシステム制御装置２０が受信して、画像・音声データとカメラ情報データを復元することについて以下説明する。
【００２５】
イーサネット上に転送されたイーサネット転送データ１１１は、システム制御装置２０においてネットワーク転送制御部２１で受信処理を行って受信される。受信されたネットワーク転送データは、該転送データ処理部２２に転送され、画像・音声データのイーサフレームパケット１０４とカメラ情報データのイーサフレームパケット１０６に選別された後付加されたＭＨＤ，ＦＣＳを取り除く処理を行い該カメラ情報データ１０５と該フレームデータ１０３に復元する処理を行う。
【００２６】
復元された該フレームデータ１０３は、画像・音声信号処理部２８に転送され、ＦＨＤ，ＡＶＨＤを取り除く処理を行い、該画像・音声データストリーム１０１に復元される。そして、伸張処理を行ってデジタル信号に復元され、画像表示制御部２９でアナログの画像及び音声信号への変換処理を行ってモニタ３０に表示される。
【００２７】
一方、復元されたカメラ情報データ１０５は、カメラ情報処理部２３に転送され、ここで該カメラ情報データに基き電源電圧の調整を行なう電圧調整信号が生成される。該電圧調整信号を受けた出力電圧制御信号生成部２５からパルス幅変調等による出力電圧制御信号が生成され出力電圧制御部２６に送られる。出力電圧制御部２６において、出力電圧の調整が行なわれ電源電圧出力部２７から電源バス４１を経由して直流電源が各々のビデオカメラ１０に供給される。
【００２８】
次に、カメラ情報データに基き行なわれる出力電圧の自動調整について図４に示す電源電圧の自動調整動作シーケンス図を用いて説明する。
【００２９】
システム制御装置２０の電源が投入されると、システム制御部２４内に備えられたタイマが動作を開始し、所定時間（例えば、ここでは５秒程度）が経過してシステム制御装置２０とビデオカメラ１０が安定した動作状態に入ると、システム制御部２４から出力電圧の自動調整を始めることを指示する電圧調整指示信号が出力される（ステップＳ３０１）。該電圧調整指示信号が出力電圧制御信号生成部２５に送られると、出力制御信号生成部２５から出力される出力電圧制御信号により出力電圧制御部２６の出力である制御電圧は制御範囲の上限値V_maxに設定される（ステップＳ３０２）。
【００３０】
電圧調整指示信号は、イーサネットを経由して各々のビデオカメラ１０にも伝えられる。各々のビデオカメラ１０は、電圧調整指示信号を受けると、該ビデオカメラの電源電圧を検出し、ビデオカメラの動作電圧仕様と検出電圧等からなるカメラ情報データをイーサネットを経由して転送する。
【００３１】
転送されたカメラ情報データは、ネットワーク転送制御部２１と転送データ処理部２２を経由してカメラ情報処理部２３に伝えられ、ここで各々のカメラ情報データが復元される（ステップＳ３０３）。各々のカメラ情報データから各々のビデオカメラの検出電圧を抜き出し、検出電圧値から動作電圧仕様値を差し引いた差分を取り出す。そして、各々ビデオカメラの差分の大きさの比較を行い、小さい順にカメラＮＯを付ける（ステップＳ３０４）。
【００３２】
次に、該差分値が最小であるビデオカメラＮＯ１の差分値を抜き出し、差分値が負であるかを判定する（ステップＳ３０５）。差分値が負である場合（ステップＳ３０５：ＹＥＳ）出力電圧制御部２６の出力である制御電圧がV_maxか否か調べる（ステップＳ３０６）。
【００３３】
制御電圧がV_maxであれば（ステップＳ３０６：ＹＥＳ）制御範囲内で出力電圧を最大にしても該ビデオカメラの電源電圧は仕様値以下であるので自動電圧調整が出来ない旨をモニタ３０に表示して電源電圧の調整は終了する（ステップＳ３０７）。
【００３４】
制御電圧がV_maxでない（ステップＳ３０６：ＮＯ）かまたは差分値が負でない（ステップＳ３０５：ＮＯ）場合は、差分値が定められた許容値Ｖo以内かを調べる（ステップＳ３０８）。差分値が許容値Ｖo以内の場合（ステップＳ３０８：ＹＥＳ）であれば電源電圧は適正値であるので電源電圧の自動調整は一端終了し、所定時間（例えば、ここでは２分）経過後（ステップＳ３０９）、システム制御部２４から再調整指示が発せられステップＳ３０３に戻り、再度電圧調整を行なう。
【００３５】
なお、再度電圧調整をするのは、時間の経過とともに電源電圧が変動することが考えられるからである。ステップＳ３０８に戻り、差分値が許容値Ｖoを超える場合（ステップＳ３０８：ＮＯ）、電源電圧は適正でないと判定され、現在の制御電圧から上記差分を差し引いた値を新たな制御電圧に設定する（ステップＳ３１０）。５００ｍｓｅｃ待ち電源電圧が安定すると、システム制御部２４から再調整指示が発せられると（ステップＳ３１１）、ステップＳ３０３に戻り電源電圧の自動調整を繰り返す。
【００３６】
なお、電源電圧の自動調整をする際、出力電圧の上限値から制御を開始するのは、電源電圧の初期値の選び方によっては電源仕様を満足しないビデオカメラが存在することがあり、この場合、該ビデオカメラは正常動作ができず供給される電源電圧が低すぎるのでシステム制御装置２０に伝えることが出来ずに電源電圧の制御が出来成ることがあるからである。
【００３７】
また、上記実施例では、システム制御装置２０内に出力電圧制御部２６と電源電圧出力部２７とが含まれているが、出力電圧制御部２６と電源電圧出力部２７をシステム制御装２０から分離した構成でもよい。
【００３８】
また、上記実施例ではＮ台のビデオカメラ１０とシステム制御装置２０を電源バスとイーサネットの信号用のデータバスと用いて接続しているが、同軸ケーブル等により電源とイーサネット信号を多重化して接続してもよい。
【００３９】
デジタル伝送を利用する監視装置では、各ビデオカメラと制御装置をイーサネット等のシリアルバスで接続している。各ビデオカメラへの電源の供給は監視装置の設置工事を容易にするため、シリアルバスの中の専用線を利用することが多い。このため電源を供給する電源線は電流容量の充分大きな電線を選択できない上他のビデオカカメラにも電源を供給するので電源バスでの電圧降下が多くなるので本実施例による電源電圧の自動調整機能を有する監視システム装置は消費電流の低減と設置作業の簡素化の面で有効である。
【００４０】
以上のように本実施例によれば、各々のビデオカメラから検出された検出電圧及び動作電圧仕様値をカメラ情報データとしてネットワーク転送データに変換処理しネットワーク転送することにより、システム制御装置にて異なった動作電圧仕様のビデオカメラを含む監視システムにおいてもカメラに供給する出力電圧を適切に自動調整することが可能となる。
【００４１】
なお、ネットワークを利用する監視装置では各ビデオカメラと制御装置をイーサネット等のシリアルバスで接続しており、数十メートルとなる場合がある。
【００４２】
一方、各ビデオカメラへの電源の供給は、イーサネット等への誘導ノイズの影響を避ける為に専用の電源線を利用することが多く、数十メートル離れると電源バスでの電圧降下が多くなりがちである。そのため、本実施例による電源電圧の自動調整機能をネットワークを利用した監視装置に適用することは有効である。
【００４３】
なお、システム制御装置２０と監視カメラ１０とを接続する形態としては、有線あるいは無線のいずれであっても構わない。
【００４４】
また、本発明は、上記に示された実施に限定されるものではなく、ここにう開示された原理及び新しい特性は広範囲の技術的範囲を含むものである。
【００４５】
また、本発明を換言すれば、以下のようにも表現できる。
（１）ネットワークを介して撮像装置と接続された情報処理装置において、前記ネットワークを介して前記撮像装置と通信する通信手段と、電源を供給する電源供給手段と、
前記撮像装置に関する情報を受信する受信手段と、前記受信手段により受信された前記撮像装置に関する情報に基づいて前記電源供給手段により供給される電源の電圧を制御する制御手段とを備えたことを特徴とする情報処理装置。
（２）上記（１）の情報処理装置において、
前記撮像装置に関する情報は、前記カメラで検出された電源電圧と前記カメラの電源電圧仕様についての情報を含むことを特徴とする情報処理装置。
（３）上記（２）の情報処理装置において、
前記電源供給手段の出力電圧は、前記カメラ情報に含まれる前記カメラで検出された電源電圧値から前記カメラの電源電圧仕様値を差し引いた差分値に基いて前記制御手段により制御されることを特徴とする情報処理装置。
（４）ネットワークによりカメラと接続された情報処理装置において、
電源を供給する電源供給手段と、前記ネットワークを介して前記カメラと通信する通信手段と、前記通信手段により通信される情報から前記カメラに関する情報を取得する情報取得手段と、前記情報取得手段により取得された前記カメラに関する情報に基いて前記カメラに供給する電源電圧を制御する制御手段とを備えたことを特徴とする情報処理装置。
（５）ネットワークを介して情報処理装置と接続可能な撮像装置であって、電源の電圧の情報を検出する電圧検出手段と、前記撮像装置に関する情報を記憶する記憶手段と、前記電圧検出手段により検出された前記電源電圧情報と前記記憶手段により記憶された前記撮像装置に関する情報とから前記撮像装置の電圧を制御するためのカメラ情報を生成するカメラ情報生成手段と、前記カメラ情報の送信指示を受けた場合に前記カメラ情報生成手段により生成された前記カメラ情報を前記ネットワークを介して前記情報処理装置に送信する送信手段とを備えることを特徴とする撮像装置。
（６）上記（５）の撮像装置において、
前記記憶手段により記憶された前記撮像装置に関する情報が前記カメラのＩＤもしくは名称に関するものであることを特徴とする撮像装置。
（７）他の装置と通信する通信手段と、電源電圧を検出する電圧検出手段と、前記電圧検出手段により検出された電源電圧情報より電圧制御に関するカメラ情報データを生成するカメラ情報生成手段と、前記カメラ情報データの送信指示を示す送信指示信号を受信する受信手段と、前記受信手段により前記送信指示信号を受信すると前記カメラ情報生成手段により生成された前記カメラ情報を前記通信手段により送信するように制御する制御手段とを備えることを特徴とする撮像装置。
（８）撮像装置と前記撮像装置とネットワークを介して接続される情報処理装置撮像装置とから構成される情報処理システムであって、前記撮像装置は、前記情報処理装置から供給された電源の電圧の情報を検出する電圧検出手段と、前記撮像装置に関する情報を記憶する記憶手段と、前記電圧検出手段により検出された前記電源電圧情報と前記記憶手段により記憶された前記撮像装置に関する情報とから前記撮像装置の電圧を制御するためのカメラ情報を生成するカメラ情報生成手段と、前記カメラ情報の送信指示を受けた場合に前記カメラ情報生成手段により生成された前記カメラ情報を前記ネットワークを介して前記情報処理装置に送信する送信手段とを備え、
前記情報処理装置は、前記撮像装置に電源を供給する電源供給手段と、前記カメラの前記送信手段により送信された前記カメラ情報を受信するカメラ情報受信手段と、前記カメラ情報受信手段により受信された前記カメラ情報に基いて前記電源供給手段により供給される電源の電圧を制御する制御手段とを備えたことを特徴とする情報処理システム。
【図面の簡単な説明】
【００４６】
【図１】本発明の実施例である監視装置のビデオカメラとシステム制御装置の構成を示すブロック図である。
【図２】本発明の実施例であるビデオカメラ情報のデータをネットワークで転送するためのネットワーク転送データを示す図である。
【図３】本発明の実施例であるビデオカメラでカメラ情報を生成する動作シーケンス図である。
【図４】本発明の実施例であるネットワークで転送されたカメラ情報からカメラに供給する電源電圧を自動調整する動作シーケンス図である。
【符号の説明】
【００４７】
１０・・・ビデオカメラ、１２・・・電圧検出部、１３・・・カメラ情報生成部、１４・・・撮像部、１５・・・マイク、１６・・・画像・音声信号処理部，１７・・・転送データ生成部、１８・・・ネットワーク転送制御部、１９・・・カメラシステム制御部、２０・・・システム制御装置、２１・・・ネットワーク転送制御部、２２・・・転送データ処理部、２３・・・カメラ情報処理部、２４・・・システム制御部、２５・・・出力電圧制御信号生成部、２６・・・出力電圧制御部、２７・・・電源電圧出力部、２８・・・画像・音声信号処理部、２９・・・画像表示制御部、３０・・・モニタ、４１・・・電源バス、４２・・・データバス、１０１・・・画像・音声ストリーム、１０２・・・ＡＶパケット、１０３・・・ＡＶフレーム、１０４・・・画像音声データのイーサフレーム、１０５・・・カメラ情報データ、１０６・・・カメラ情報データのイーサフレーム、１１１・・・ネットワーク転送データ
【図１】
2005072991.tif 000003
【図２】
2005072991.tif 000004
【図３】
2005072991.tif 000005
【図４】
2005072991.tif 000006